(57)【要約】【課題】  本発明は記録ヘッド清掃装置に係り、洗浄液を使ったノズル孔周辺の清掃が、ノズル孔からの洗浄液や気泡の入り込みを引き起こすことなく清掃可能で、記録の信頼性が確保でき、更に払拭部材の清掃動作によりプリンタの記録速度低下がない清掃装置の提供を課題とする。【解決手段】  ノズル孔に対向設置した吸引口の周囲に、洗浄液を供給可能にした洗浄液吐出開口部を設け、負圧発生源で前記吸引口から吸引することで、該洗浄液供給開口部から洗浄液を引き出し、該引き出した洗浄液をノズル孔周辺に接触させ、該接触洗浄液を前記吸引口から吸引回収する。前記吸引口部材を多孔質樹脂で形成し、洗浄供給開口部は、該多孔質樹脂の表面に形成された気孔部とする。多孔質樹脂に供給した洗浄液を、該多孔質樹脂の表面に形成された気孔部から引き出し、ノズル孔周辺を洗浄すると共に、払拭部材としての吸引口も同時に洗浄する。【選択図】          図３
2005131969.tif 000002
【特許請求の範囲】
【請求項１】
負圧発生源に繋がれた吸引口をノズル孔に対向させ、ノズル孔やその近傍に負圧を作用させるインクジェット記録装置用清掃装置において、
前記吸引口の周囲に設けた、洗浄液を吐出可能にした洗浄液吐出開口部と、
前記負圧発生源で吸引口から吸引することで前記洗浄液吐出開口部から洗浄液を引き出し、引き出した洗浄液をノズル孔周辺に接触させ、接触洗浄液を前記吸引口から吸引回収する手段を備えることを特徴とするインクジェットプリンタ用ヘッド清掃装置。
【請求項２】
前記吸引口の部材を多孔質樹脂で作成し、洗浄液吐出開口部は、前記多孔質樹脂の表面に形成された複数の気孔部であることを特徴とする請求項１記載のインクジェットプリンタ用記録ヘッドの清掃装置。
【請求項３】
前記吸引口は、多孔質樹脂で作成した吸引管の先端部として形成し、前記吸引管の側面の多孔質樹脂気孔部から洗浄液を供給することを特徴とする請求項１記載のインクジェットプリンタ用記録ヘッドの清掃装置。
【請求項４】
前記吸引口はノズル孔に非接触になるように設置され、洗浄液はノズル孔及びその周辺に向けて、吐出され、同時にノズル孔からインクが引き出せれるようになったことを特徴とする請求項１または２記載のインクジェットプリンタ用記録ヘッドの清掃装置。
【請求項５】
ノズル孔列に沿ってオリフィス板上に設置されたスペーサ板に吸引口を突き当て、ノズル孔と吸引口の間に隙間を作成することで、形成されることを特徴とする請求項４記載のインクジェットプリンタ用記録ヘッドの清掃装置。
【請求項６】
前記吸引口をノズル孔に対向させながら移動させることで、各ノズル孔やその近傍に負圧を順次作用させることを特徴とする請求項１乃至５記載のインクジェットプリンタ用記録ヘッドの清掃装置。
【請求項７】
ノズル清掃時間以外の時間において、前記吸引口に作用する負圧を弱めるか止め、洗浄液吐出開口部から洗浄液を滲み出させた後、引き続いて前記吸引口に負圧を作用させて、滲み出させた洗浄液を吸引孔から回収することを特徴とする請求項１乃至６記載のインクジェットプリンタ用記録ヘッドの清掃装置。
【請求項８】
前記吸引口から吸引し回収した洗浄液とインクの混合液を、異物除去後、再度洗浄液として使用することを特徴とする請求項１乃至７記載のインクジェットプリンタ用記録ヘッドの清掃装置。
【請求項９】
前記１乃至８記載のインクジェットプリンタ用記録ヘッドの清掃装置を備えてなるインクジェットプリンタ。
【発明の詳細な説明】
【技術分野】
【０００１】
本発明はインクジェット記録装置に関し、特に高品位な画像を高信頼で記録可能な高速インクジェットプリンタ用の記録ヘッド清掃装置、及び該清掃装置を備えたプリンタに関する。
【背景技術】
【０００２】
記録媒体（例えば、連続記録用紙または連続的に搬送される単票紙）に印刷するインクジェットプリンタとして、ライン走査型インクジェットプリンタが提案されている。この装置は、インク滴吐出用のノズル孔を列状に配置した長尺インクジェット記録ヘッドを、連続記録用紙の幅方向（用紙搬送方向に対してほぼ直角方向）に、幅いっぱいに記録用紙面に対向して配置し、前記ノズル孔から吐出するインク滴の記録用紙面への着弾を記録信号に応じて選択的に制御する。同時に、記録用紙を連続記録用紙の長手方向に高速移動させて主走査する。この主走査とインク滴の記録用紙への着弾制御で走査線への記録ドット形成の制御を行い、記録用紙上に記録画像を得る。
【０００３】
このライン走査型インクジェットプリンタとしては、記録ヘッドにコンティニュアスインクジェット方式の記録ヘッドを使用する装置や、オンデマンドインクジェット方式の記録ヘッドを使用する装置が多く提案されている。このうち、オンデマンドインクジェット方式のライン走査型インクジェットプリンタはコンティニュアスインクジェット方式の装置に比べて記録速度では及ばないが、高精細記録性能に優れ、インクシステムも簡単である等のため、普及型の高精細カラー高速プリンタを提供するのに適している。
【０００４】
このオンデマンドインクジェット方式のライン走査型インクジェットプリンタ用の記録ヘッドは、ノズルを列状に多数配置し、ノズル孔を開口とするインク室中のインクに、圧電素子や発熱素子への駆動電圧印加で、圧力を加えてインク滴を吐出するライン型記録ヘッドである（例えば、特許文献１参照）。
【０００５】
ところで、オンデマンドインクジェット方式では、ノズル孔近辺を清掃する記録ヘッド清掃装置が必要である。この清掃装置により、乾燥等より高粘度化したインクや、変質したインク、あるいはノズル孔近辺に付着している紙紛等の異物を除去し、インク吐出の安定性を確保する。
【０００６】
この記録ヘッド清掃装置の従来装置として、例えば、記録ヘッドの全てのノズル孔にキャップを密着してインクを吸引する所謂パージ動作を行い、その後、ノズル孔が形成されたオリフィス表面をゴム製等の払拭部材で拭き取る所謂ワイプ動作を行うノズル清掃装置Ａがよく知られている。この清掃装置Ａでは、次のような欠点があった。
（１）ノズル孔やその周辺に、塵埃やインクが強固に付着したものを除去するのに何回も清掃動作を繰り返す必要があり、時間がかったり、除去困難な場合もがある。
（２）ワイプ動作の際、異物をノズル孔に押し込んでしまうことがある。払拭部材が汚れるとこの不都合が起きやすい。
（３）多数のノズル孔に同時に負圧を作用させるため、異物で目詰り等のある流路抵抗の大きな障害ノズルに、充分なインクを流すことが出来ない。
（４）パージ動作で多量のインクが消費される。
【０００７】
上記の問題点（１）を改善する清掃装置として、ノズル孔周辺に、塵埃やインクが強固に付着したものを短時間に除去するため、洗浄液スプレーノズルを設け、加圧した洗浄液を吹き付けて清掃する清掃装置Ｂが提案されている（例えば、特許文献２参照）。
【０００８】
また、（２）の問題点を改善する清掃装置として、ノズル近辺に付着したインクを拭い取る際、払拭部材が汚れるが、この汚れを清掃するため、洗浄液が貯蔵された洗浄槽でこの払拭部材を洗浄する清掃装置Ｃがある（例えば、特許文献３参照）。
【０００９】
更に、（３）と（４）の問題点を改善する清掃装置として、ノズル孔列の一部ノズル孔に対向するように吸引口を設置し、この吸引口をノズル孔列に沿い移動させ、ノズル孔には直接接触させずに清掃する個別ノズル清掃装置Ｄが開示されている（例えば、特許文献４参照）。
【００１０】
【特許文献１】特開２００１−４７６２２号公報
【００１１】
【特許文献２】特開平８−１５０７１０号公報
【特許文献３】特開２００２−１９１３２号公報
【特許文献４】特開２００１−２６０３９２号公報
【発明の開示】
【発明が解決しようとする課題】
【００１２】
前記従来の個別ノズル清掃装置Ｄに、清掃装置Ｂと清掃装置Ｃを組み合わせれば、清掃装置の上記課題（１）〜（４）を軽減可能である。
【００１３】
しかしながら、前記清掃装置Ｂの問題として、
（５）洗浄液の吹き付けにより、ノズル孔から洗浄液や気泡が入り込み、ノズルの吐出不良を引き起こすことがある。また、洗浄液の飛散処理のために装置が複雑化する。
【００１４】
一方、前記清掃装置Ｃの問題として、
（６）払拭部材を洗浄槽まで移動し、洗浄するのに時間がかかる。特に、ラインヘッドの清掃を行う場合、多数のノズルを清掃するので汚れ易く、従って、パージやワイプ動作の途中で頻繁に洗浄槽まで移動する必要があり、且つ洗浄に時間がかかり、プリンタの実質的な記録速度の低下につながる。
【００１５】
本発明は、上記（１）〜（４）および（５）、（６）の不都合を解決しようとするものである。
【課題を解決するための手段】
【００１６】
上記課題を解決するため、本発明では、負圧発生源に繋がれた吸引口をノズル孔に対向させ、ノズル孔やその近傍に負圧を作用させるインクジェット記録装置用清掃装置において、前記吸引口の周囲に設けた、洗浄液を吐出可能にした洗浄液吐出開口部と、前記負圧発生源で吸引口から吸引することで前記洗浄液吐出開口部から洗浄液を引き出し、引き出した洗浄液をノズル孔周辺に接触させ、接触洗浄液を前記吸引口から吸引回収する手段を備えることを特徴とする。
【００１７】
また、前記吸引口の部材を多孔質樹脂で作成し、洗浄液吐出開口部は、前記多孔質樹脂の表面に形成された複数の気孔部であることを特徴とする。
【００１８】
また、前記吸引口は、多孔質樹脂で作成した吸引管の先端部として形成し、前記吸引管の側面の多孔質樹脂気孔部から洗浄液を供給することを特徴とする。
【００１９】
また、前記吸引口はノズル孔に非接触になるように設置され、洗浄液はノズル孔及びその周辺に向けて、吐出され、同時にノズル孔からインクが引き出せれるようになったことを特徴とする。
【００２０】
また、ノズル孔列に沿ってオリフィス板上に設置されたスペーサ板に吸引口を突き当て、ノズル孔と吸引口の間に隙間を作成することで、形成されることを特徴とする。
【００２１】
また、前記吸引口をノズル孔に対向させながら移動させることで、各ノズル孔やその近傍に負圧を順次作用させることを特徴とする。
【００２２】
また、ノズル清掃時間以外の時間において、前記吸引口に作用する負圧を弱めるか止め、洗浄液吐出開口部から洗浄液を滲み出させた後、引き続いて前記吸引口に負圧を作用させて、滲み出させた洗浄液を吸引孔から回収することを特徴とする。
【００２３】
また、前記吸引口から吸引し回収した洗浄液とインクの混合液を、異物除去後、再度洗浄液として使用することを特徴とする。
【００２４】
さらに、インクジェットプリンタ用記録ヘッドの清掃装置を備えてなるインクジェットプリンタであることを特徴とする。
【発明の効果】
【００２５】
洗浄液が吸引口周辺から引き出され、ノズル孔やその周辺等に吐出接触させた後、即座にノズル孔から吸引されたインクと共に吸引口から回収されるため、洗浄液や気泡のノズル孔内への侵入がなく、洗浄液の飛散もない。
【００２６】
また、払拭部材を兼ねる吸引口から洗浄液が吸引されるため、しみ出した洗浄液が吸引口近辺を洗浄する。このため、吸引口を特定位置の洗浄槽まで頻繁に移動する必要がなく、払拭部材の洗浄所要時間に伴うプリンタ速度低下の問題もない。
【００２７】
吸引口洗浄と、洗浄液を使う個別非接触パージが可能なため、ノズル孔やその周辺を強力に清掃でき、また、ノズル孔周辺に撥インク処理が施されている場合には、撥インク層の汚れも洗浄液で取り除くことができるため、撥インク性も改善でき、インク滴の安定な吐出が可能になり、信頼性の高い高速ライン型インクジェット記録装置が実現可能である。
【発明を実施するための最良の形態】
【００２８】
以下、本発明の実施例に付いて図を参考にしながら説明する。
【実施例１】
【００２９】
図１は、本発明による記録ヘッド清掃装置を備えた、オンデマンド方式ライン型インクジェットプリンタの実施例である。（ａ）は清掃動作を説明する図であり、（ｂ）は記録動作を説明する図である。
【００３０】
図２は、記録ヘッドモジュール１０のノズル孔側からの斜視拡大図である。
【００３１】
本実施例の清掃対象になる記録ヘッドは、ライン記録ヘッド１であり、記録ヘッドモジュール１０の各々には、スペーサ板１１が、ノズル孔１２に沿ってオリフィス板１３上に取り付けられている。そして、記録ヘッドモジュール１０が、記録ヘッドモジュールマウンタ２０に複数個搭載され、ライン記録ヘッド１を構成する。記録ヘッドモジュール１０のノズル孔１２から記録信号入力データに応じて吐出したインク粒子は、矢印Ａの方向に移動する記録用紙６０上に着弾し、記録ドット７０から構成される所望の記録を行うことができる。無論、Ａと逆方向への搬送時でも記録可能である。
【００３２】
前記記録ヘッドモジュール１０は、オンデマンドインクジェット方式のリニア記録ヘッドモジュールであり、ｎ個のノズル素子から構成され、各ノズル素子は、図２のオリフィス板１３に所定ピッチで列状に配置したｎ個のノズル孔１２を開口としている。図には記載されていないが、各ノズル素子はノズル孔１２を開口端とするインク加圧室、このインク加圧室にインクを導くインク流入孔、このインク流入孔にインクを供給するマニホールドを備える。また、インク加圧室にはこのインク加圧室の体積を記録信号に応じて変化させるＰＺＴ圧電素子等のアクチュエータが取り付けられている。各ノズルの構造は同一構造である。各ノズル素子のＰＺＴ圧電素子にはインク粒子吐出制御信号が供給されるようになっており、記録信号に応じて各ノズル孔１２からインク粒子が吐出される。
【００３３】
このオンデマンド方式ライン型インクジェットプリンタで良好な記録行うためには、安定なインク粒子の吐出が前提になる。このため、本発明による記録ヘッド清掃装置は、記録ヘッドのノズル孔１２やその近傍に付着した変質インクや紙粉等の異物を取り除き、新鮮なインクによるメニスカスをノズル孔１２に制定（ノズル孔におけるメニスカスを所望の状態に設定）する。
【００３４】
このような清掃装置は、ライン記録ヘッドを、図１（ｂ）の記録位置から（ａ）のように清掃位置に移動させる記録ヘッド退避機構４０、清掃位置に配置された吸引管５０、そして吸引管５０の吸引口５１をノズル孔列１２とオリフィス電極兼インク受け１１にかけて対向させ且つ近接させて設置する吸引管位置設定機構４１を備える。
【００３５】
記録ヘッド退避機構４０は、清掃時に記録ヘッドモジュールマウンタ２０を矢印Ｂの方向に移動させるための直動レール４０１と、直動レール４０１に沿って記録ヘッドモジュールマウンタ２０を引っ張るタイミングベルト４０２と、タイミングベルト４０２に駆動力を与えるための退避駆動モータ４０４で回転し且つタイミングベルト４０２にかみ合うプーリ４０３とを備える。
【００３６】
吸引管位置設定機構４１は、２軸移動ステージ４１１Ｘ，４１１Ｙと，該ステージに取り付けられ、吸引口５１をオリフィス板１３に向けて、矢印Ｚの方向かつ所定位置に移動させる吸引口近接機構４１２を備える。そして該吸引口近接機構に吸引管取り付け部５２により吸引管５０が取り付けられている。また吸引管５０は、吸引用配管５３１や回収タンク５４を介して負圧発生源５５に繋がれており、且つ、洗浄液供給用配管５３２により、洗浄液供給タンク５３３に繋がれている。また、吸引用配管５３１途中には吸引用バルブ５３４が、洗浄液供給用配管５３２の途中には洗浄液供給バルブ５３５が挿入されている。
【００３７】
図３は、本発明による清掃装置の清掃動作を説明するための図であり、図２に示した吸引管５０とノズル孔１２近辺のＳＳ’断面図である。
この実施例では、吸引管５０は樹脂製多孔質材料の外径４ｍｍφ、内径２．５ｍｍφ程度のチューブを使用し、吸引管５０が吸引管支持部材５０１に圧入して固定される。吸引管支持部材５０１の形状は、吸引管を内側と外側、そして底面から吸引管５０１を取り囲み、吸引管の先端部が支持部材から露出するようになっており、且つ吸引管５０の横側から樹脂多孔質材料に洗浄液を導くように洗浄液供給開口部５０２を備える。
【００３８】
樹脂多孔質材料としては、例えば、超高分子量ポリエチレンの多孔質体が使用可能であり、孔径数μｍ〜数十μｍの気孔が数十％の割合で形成されたものが使用可能である。具体的な材料としては、サンマップ（日東電工株式会社製）が使用可能である。この構造により、吸引管先端の露出部表面には洗浄液が導かれた孔、即ち洗浄液を供給可能にした洗浄液吐出開口部が吸引口の周囲に存在するようにできる。
【００３９】
そして、吸引用バルブ５３４を開き、回収開口部５０３を介して吸引管５０を負圧発生装置５５で吸引しながら、吸引口５１がノズル孔列１２とスペーサ板１１にかけて覆うように、吸引管位置設定機構４１で位置決めされ、吸引口近接機構４１２でオリフィス板１３の方向（Ｚ方向）に突き当てられる。吸引口５１のこのような配置により、吸引口隙間５１１は、スペーサ板１１による段差により電極側では狭い隙間５１１Ｓを、そしてノズル孔１２側では、広い隙間５１１Ｌを形成される。これにより、ノズル列１２を中心に吸引口隙間５１１を非対称に形成することができ、吸引口からの吸い込み気流の流量、速度の分布を、ノズル孔列１２と直角方向に対し非対称に設定することが可能である。
【００４０】
そして、ノズル孔１２に、−１０〜−２０ｋＰａ程度の充分なインク吸引圧力を作用するように、負圧発生源５５の吸引を行いながら、２軸移動ステージ４１１を駆動し、吸引管５０をノズル１２列に沿ってＮ方向に移動させる。
【００４１】
これにより、吸引口周囲の吸引管先端部にも負圧が作用するため、多孔質体を介して供給された洗浄液は、該洗浄液吐出開口部から引き出され、洗浄液流５６１となってノズル孔１２やその周辺を強力に洗浄することができる。洗浄後の洗浄液は即座に、吸引口５１から回収開口部５０３を介して吸引回収される。このような洗浄動作によりに、ノズル孔１２近辺やスペーサ板１１部分に付着した、紙粉やインク凝集物等の異物が強力に剥離され、洗浄液やインクで洗い流され、吸引管５０内に吸い込まれる。そして配管５３４を介してインク回収容器５４に回収される。回収タンク５４に溜まった異物を含んだ洗浄液とインクの混合回収液体５３６は廃棄される。
【００４２】
この洗浄動作と同時に、吸引口５１に面したノズル孔１２にも負圧が作用するため、ノズル孔から乾燥により高粘度化したインクや、気泡、そして新鮮なインクが吸い出され、パージ動作も同時に行なわれる。また、吸引口５１のノズル列に沿うＮ方向への移動に伴い、上記の洗浄動作、パージ動作が各ノズルに対し順次作用する。
【００４３】
一方、洗浄液やインクの吸引と同時に、吸引口隙間５１１から吸い込み気流５６として空気が吸い込まれる。該吸い込み気流は吸引口隙間５１１Ｌ及び５１１Ｓの隙間大きさの違いで、それぞれの部分からの吸入空気の流量、流速に差が出来る。これにより吸引口近辺に空気と、インクそして洗浄液が混合した渦流状吸い込み流５７が吸引口近辺に形成される。この渦流により、洗浄力は更に高まる。
【００４４】
また、ノズル孔及びその周辺に付着したインクや洗浄液が吸引口５１から吸引払拭され、吸引口摺動後の各ノズル孔部には新鮮なインクによるメニスカスが制定され、ワイプ動作も同時に行うことが可能である。
【００４５】
このように、本発明実施例の清掃装置では、ノズル孔及びその近辺の洗浄動作、ノズル孔からのインクパージ動作、そして、余分なインクや洗浄液をノズル孔周辺から除去するワイプ動作を同時に、ノズル列にそって各ノズルに付いて順次実施可能である。
【００４６】
以上の動作から分かるように、洗浄液のノズル孔への接触と、ノズル孔からのインクの引き出しが同時に作用するため、洗浄液や洗浄された異物、気泡等をノズル孔に侵入させることもない。また、洗浄液のミスト等が飛散し、ＰＺＴ圧電素子部等の濡れると不都合な記録ヘッド部位に洗浄液やインクが付着して濡らしてしまうこともない。
【００４７】
また、前記の洗浄動作において、多孔質吸引口周囲の吸引管先端部から、吸引による負圧の作用で、多孔質吸引管５０の気孔部を流路として洗浄液が多孔質吸引口先端部から流れ出し洗浄液流５６１となる。このとき、多孔質吸引口先端部に付着した増粘インクや異物は、多孔質吸引口先端部からの洗浄液の外向きの流れと、吸い込み気流５６の作用で洗い流される。
【００４８】
このような吸引口先端部の洗浄は、洗浄液供給タンク５５３内の洗浄液の液面を、吸引口先端部位置よりも高くするほど、孔質吸引口先端部からの洗浄液の外向きの流量を増やすことができるので、吸引口先端部の洗浄力を向上させることが可能である。なお、このように洗浄液供給タンク５５３内の洗浄液の水頭差を増す方法に代えて、洗浄液供給用配管５３２の途中に洗浄液加圧供給用のポンプを設けても同様の効果が得られる。
【００４９】
さらに、吸引口５１が、ライン記録ヘッド１の清掃を終了してから、次の清掃に入るまでの時間中に、次の動作をさせることで、引口先端部の洗浄を更に効果的に行うことができる。各ヘッド清掃の合間の時間内において、所定時間吸引用バルブ５３４を閉じる。これにより、孔質吸引口先端部から滲み出た洗浄液が吸引回収されなくなり、孔質吸引口先端部に洗浄液が溜まる。この状態で再度、洗浄液供給バルブ５３５を開く。前記孔質吸引口先端部に溜まった洗浄液が一度に吸引孔から回収される。洗浄液の流量が瞬間的に増え、多孔質吸引口先端部に付着した、増粘インクや異物に大きな剥離力が与えられるため、洗浄力を上げることが可能である。所定時間の吸引用バルブ５３４の開閉を数回繰り返すと、より洗浄力を上げることができる。
【００５０】
尚、吸引管の樹脂多孔質材料として、例えば、超高分子量ポリエチレンの多孔質体を使用すると、吸引孔摺動に伴う摩擦抵抗が少なく、引口先端部の磨耗も少ない。しかし、多使用で磨耗や汚れが実用上支障を来たすようになる場合には、吸引管を交換する構造としてもよい。
【００５１】
また、本実施例の清掃装置は、ノズル孔周辺に撥インク処理が施されている場合には、撥インク層の汚れを取り除き、撥インク性を復活させるのにも有効である。次に、この作用、効果に付いて説明する。
【００５２】
ノズル孔からのインク滴吐出の直進性を改善したり、ノズル特性バラツキを低減する等のために、ノズル孔周辺をインクに対して濡れにくくする撥インク処理が施される場合がある。具体的には、オリフィス板１３の表面に撥インク材が薄く膜状に形成される。しかし、この撥インク膜の表面がインクや異物等の付着で撥インク特性が劣化したり、撥インク膜がインクに触れること事態で撥インク特性が劣化してしまうことがある。
【００５３】
本発明実施例では使用する洗浄液として、このような汚れ除去や、撥インク膜表面の撥インク性復活に有効な液体を使用することが可能である。
【００５４】
これにより、撥インク膜の撥インク性を復活でき、記録の信頼性を向上させることが可能になる。また、長寿命の撥インク膜が形成しにくいインクでも、本発明の清掃装置を実施することで使用可能となる。
【実施例２】
【００５５】
図４は、本発明の実施例２を説明するための図である。
【００５６】
図３の実施例１との違いは、吸引管５０の構造の違いにある。吸引管壁形成部の内部に吸引管の長手方向に洗浄液吐出用流路５０４が形成されている。この流路５０４は、吸引管の周囲に所定間隔で複数個形成され、一端は吸引孔周囲の洗浄液吐出開口部となり、もう一方は吸引管の側面周囲にリング状に形成された凹部に開口する。この凹部には洗浄液供給開口部に繋がる。
【００５７】
このような構造により、洗浄液供給開口部５０２から供給された洗浄液は、前記吸引管凹部の流路を通り、吸引管周囲の複数の洗浄液吐出用流路５０４に分配され、負圧の作用する吸引口周囲の洗浄液吐出開口部から吐出する。吐出洗浄液で洗浄液流５６１が形成できるので、本実施例でも実施例１と同様に清掃作用が実現可能となる。
【００５８】
本実施例では、吸引管の材質として気孔を有しない樹脂等が使用可能なため、材料の選択範囲が広がる。
【実施例３】
【００５９】
図５は、本発明による実施例３を説明するための図である。
【００６０】
実施例１との違いは、吸引孔５１を、ノズル孔配列方向（Ｎ方向）から所定角度傾いたＫ方向に、連続的に千鳥状に密に複数個並べ、吸引部分がノズル孔配列方向（Ｎ方向）に連続で、途切れることのないように構成してある。そして、吸引口５１を形成する吸引管５０の隣接する少なくとも２個ずつに順次洗浄液を供給しながら吸引する。吸引用バルブ５３４や洗浄液供給バルブ５３５は、吸引口個々に対して独立に動作可能になっており、これらバルブを制御することで、吸引及び洗浄液が所望の吸引管に順次供給と吸引が行われるようになっている。そして、吸引口列をライン記録ヘッドの長尺方向（Ｌ方向）に移動させながら、ノズル孔を順次清掃する。
【００６１】
本実施例によれば、吸引孔を移動する機構が不要になり、速やかにライン型記録ヘッドを清掃可能である。
【実施例４】
【００６２】
図６は、本発明の実施例４を説明するための図である。なお、図示はしないが、図２に示したようにスペーサ板１１がヘッドモジュール１０のノズル面に設置されている。
【００６３】
実施例１との違いは、吸引管５０の吸引口５１が記録ヘッドモジュール１０の１個分のノズル孔全てを覆うように、横長に形成した構造である点にある。洗浄液が供給された樹脂多孔質材料で形成された吸引管５０を、吸引しながら吸引口５１をオリフィス板１３のノズル孔列に近接設置する。これにより吸引口周囲の洗浄液吐出開口部から洗浄液が引き出され、該洗浄液がノズル孔近辺を洗浄した後、吸引口から吸引回収される。以上の清掃動作をライン型記録ヘッドの各記録ヘッドモジュールに付いて順次行う。
【００６４】
この実施例によれば、記録ヘッドモジュール１０の１個分のノズル孔全てを一度に清掃可能なため、速やかにライン型記録ヘッドが清掃可能である。更に、本実施例による吸引管を、ライン型記録ヘッドを構成する記録ヘッドモジュール個数分備えることで、ライン型記録ヘッドのノズル全てを同時に清掃するが可能になる。
【００６５】
なお、スペーサ板１１のヘッドモジュール１０への設置を省略し、代わりに、吸引管５０が段差を有する構成としてもよい。段差のつけ方は様々可能であるが、例えば図８のように、吸引管５０のうち、ノズルの列方向と平行な部分２ヶ所の一方（５０ａ）を他の部分と異なる高さとする。
【実施例５】
【００６６】
図７は、本発明の他の実施例を説明するための図である。
【００６７】
実施例１との違いは、吸引管５０から回収タンク５４に回収した、洗浄液とインクの混合回収液体５３６の処理の違いにある。実施例１では、回収タンク５４に溜まった異物を含んだ洗浄液とインクの混合回収液体５３６は廃棄されるが、本実施例では、再利用できるようになっている。即ち、回収液体５３６は、汲み出しポンプ５３７で再利用配管５３８を介して洗浄液再生装置５３９に導かれる。洗浄液再生装置５３９は、フィルタを備えており異物が除去される。そして、再生された洗浄液は、洗浄液供給タンク５３３に戻され、再度洗浄液として使用される。
【００６８】
ヘッド清掃過程において、洗浄液中へのインクや異物の混入は洗浄液量と比較して少ないので、本実施例でもヘッド清掃に支障はなく、本実施例によれば洗浄液の消費が節約でき、また、混合回収液体５３６の廃棄量を減らすことが可能である。再利用サイクルが増すにつれて洗浄液の純度が低下する場合には、新規に洗浄液用の供給タンクを別途設け、未使用の洗浄液を補給するようになっていても良い。更に、汚れた洗浄液を純度の高い洗浄液に再生するため、洗浄液再生装置５３９には、良く知られた遠心分離器や蒸留器等も備えることが可能であり、これにより、再利用率を格段に向上させることが可能である。
【００６９】
なお、本発明の実施例として、記録ヘッドモジュールの並びを図１に示す様に配列した場合について説明したが、本発明はこれに限定されるものではなく、様々なモジュール配列のヘッドに対して適用可能である。勿論モジュールは１つでも構わない。
【産業上の利用可能性】
【００７０】
本発明は、ノズル孔周辺を清掃して、吐出用液体を安定に吐出維持することができるので、記録用紙にインクで記録するプリンタに利用を限定することなく、生産物へのマーキング装置や塗膜装置等の工業用液体分配装置にも適用可能である。
【図面の簡単な説明】
【００７１】
【図１】本発明の実施例における記録ヘッド清掃装置を備えた、オンデマンド方式ライン型インクジェットプリンタの構成図である。（実施例１）
【図２】本発明の実施例における記録ヘッド清掃装置の構造と動作を説明する図である。（実施例１）
【図３】図２に示したＳＳ’断面図である。
【図４】本発明の他の実施例における記録ヘッド清掃装置の構造と動作を説明する断面図である。（実施例２）
【図５】本発明の他の実施例における記録ヘッド清掃装置の構成図である。（実施例３）
【図６】本発明の他の実施例における記録ヘッド清掃装置の概略図である。（実施例４）
【図７】本発明の他の実施例における記録ヘッド清掃装置の構成図である。（実施例５）
【図８】実施例４における記録ヘッド清掃装置の変形例の概略図である。
【符号の説明】
【００７２】
１はライン記録ヘッド、１０は記録ヘッドモジュール、１１はスペーサ板、１２はノズル孔列、１３はオリフィス板、２０は記録ヘッドモジュールマウンタ、３０は用紙背面電極、４０は記録ヘッド退避機構、４１は吸引管位置設定機構、４０１は直動レール、４０２はタイミングベルト、４０３はプーリ、４０４は退避駆動モータ、４１１は２軸移動ステージ、４１２は吸引口近接機構、５０は吸引管、５０１は吸引管支持部材、５０２は洗浄液供給開口部、５０３は回収開口部、５１は吸引口、５１１は吸引口隙間、５２は吸引管取り付け部、５３１は吸引用配管、５３２は洗浄液供給用配管、５３３は洗浄液供給タンク、５３４は吸引用バルブ、５３５は洗浄液供給バルブ、５３６は回収液体、５３７は汲み出しポンプ、５３８は再利用配管、５３９は洗浄液再生装置、５４は回収タンク、５５は負圧発生源、５６は吸い込み気流、５６１は洗浄液流、５７は渦流状吸い込み気流、５８は負圧発生源駆動用コンプレッサ、６０は記録用紙、７０は記録ドット、Ａは記録用紙送り方向、Ｚは吸引口近接移動方向である。
【図１】
2005131969.tif 000003
【図２】
2005131969.tif 000004
【図３】
2005131969.tif 000005
【図４】
2005131969.tif 000006
【図５】
2005131969.tif 000007
【図６】
2005131969.tif 000008
【図７】
2005131969.tif 000009
【図８】
2005131969.tif 000010